(57)【要約】【課題】  光学的な多層薄膜を用いた鍵システムであって、鍵として用いる多層薄膜の分光特性を鍵認識装置側にデジタルデータ化して保存することを必要とせず、それによって第三者並びに鍵システムの製造者であっても鍵の複製及び不正開錠がなされることを完全に防止でき、しかも温度変化等による誤判定の発生を十分に防止できるという、従来にない極めて高水準のセキュリティ性を備えた光学的鍵システムを提供すること。【解決手段】  特有の分光特性を有する多層薄膜からなる識別子５を備える鍵１、及び  前記識別子５と同一の分光特性を有する多層薄膜からなる参照部材７と、前記識別子５及び前記参照部材７に照射される光を発する光源８と、前記識別子５を透過又は反射した識別光及び前記参照部材を透過又は反射した参照光を検知し、前記識別子５の分光特性と前記参照部材７の分光特性との同一性を判定して判定信号を発する判定手段とを備える鍵認識装置２、を備えることを特徴とする光学的鍵システム。【選択図】  図１
2006097426.tif 000002
【特許請求の範囲】
【請求項１】
特有の分光特性を有する多層薄膜からなる識別子を備える鍵、及び
前記識別子と同一の分光特性を有する多層薄膜からなる参照部材と、前記識別子及び前記参照部材に照射される光を発する光源と、前記識別子を透過又は反射した識別光及び前記参照部材を透過又は反射した参照光を検知し、前記識別子の分光特性と前記参照部材の分光特性との同一性を判定して判定信号を発する判定手段とを備える鍵認識装置、
を備えることを特徴とする光学的鍵システム。
【請求項２】
前記判定信号に基づいて施錠又は開錠する施錠装置を更に備えることを特徴とする請求項１に記載の光学的鍵システム。
【請求項３】
前記判定信号に基づいて判定結果を表示する表示装置を更に備えることを特徴とする請求項１又は２に記載の光学的鍵システム。
【請求項４】
前記鍵認識装置が、前記光源から発せられた光を前記識別子に照射される識別光と前記参照部材に照射される参照光とに分割する光分割手段と、前記識別子を透過又は反射した識別光と前記参照部材を透過又は反射した参照光とを合成して合成光を得る光合成手段とを更に備えており、
前記識別子の分光特性と前記参照部材の分光特性とが同一である場合に、前記識別子を透過又は反射した識別光の光学特性と前記参照部材を透過又は反射した参照光の光学特性とが相補的な関係になることを利用して、前記判定手段において前記合成光のスペクトラムの平坦性を判定することによって前記識別子の分光特性と前記参照部材の分光特性との同一性を判定することを特徴とする請求項１〜３のうちのいずれか一項に記載の光学的鍵システム。
【請求項５】
前記識別子の分光特性と前記参照部材の分光特性とが同一である場合に、前記識別子を透過した識別光の光強度特性と前記参照部材を反射した参照光の光強度特性とが相補的な関係になること、或いは前記識別子を反射した識別光の光強度特性と前記参照部材を透過した参照光の光強度特性とが相補的な関係になることを利用することを特徴とする請求項４に記載の光学的鍵システム。
【請求項６】
前記識別子及び前記参照部材がそれぞれ、前記多層薄膜、光学異方性物質膜及び反射膜を積層してなるものであり、
前記識別子の分光特性と前記参照部材の分光特性とが同一である場合に、前記識別子を反射した識別光の偏光特性と前記参照部材を反射した参照光の偏光特性とが相補的な関係になることを利用することを特徴とする請求項４に記載の光学的鍵システム。
【請求項７】
前記光分割手段及び前記光合成手段がそれぞれ、偏光分離ミラーからなるものであることを特徴とする請求項４〜６のうちのいずれか一項に記載の光学的鍵システム。
【発明の詳細な説明】
【技術分野】
【０００１】
本発明は、光学的鍵システムに関し、より詳しくは、セキュリティ性の高い光学部材を用いた鍵システムに関する。
【背景技術】
【０００２】
従来の機械式鍵システムは、主として金属の小片にユニークな形状を刻んだものを鍵とし、その鍵の有するユニークさを機械的に認証して開錠または施錠するシステムである。しかしながら、このような金物の小片に刻まれたユニークな形状を利用した鍵システムは、複製が容易に可能であるという問題があった。
【０００３】
ところで、このような鍵が十分に機能しない状態とは、意図していない開錠や、予定されていない第三者による同一認証を受けるような偽造によって開錠がなされてしまう状態を指す。つまり、鍵が十分に機能しない状態とは、鍵の有する排他的な独自性が予定されていない第三者によって犯されるということである。そして、このような鍵が十分に機能しない状態を回避するために、第三者に対して排他的な独自性を有する鍵システム、即ち、同じ鍵を複製することが、鍵の製作業者であっても非常に困難ないしは不可能である鍵システムの出現が古来より要請され続けている。そして、このような要請に応えるべく従来より種々の鍵システムが提案されてきている。
【０００４】
例えば、昨今では、ピッキング盗等に対する対策として、磁石を組み込んだ鍵システムや鍵の形状の加工を精密化した鍵システムが提案されている。しかしながら、このような鍵システムであっても、鍵に工業的な寸法と仕様があることから、やはり複製が可能であるという問題があった。
【０００５】
さらに、今までの鍵とは根本的に違った鍵システムとして、人の眼底、指紋、声等の各人が有する独自の情報を判別することで鍵に必要な排他性を得ようとする鍵システムが提案されている。しかしながら、このような鍵システムにおいても、読みとりの不安定さがあることや、属人的に認証されることから柔軟な許認可が困難であるといった問題点があった。
【０００６】
一方、従来の鍵システムの概念をそのままにしながら複製が困難な鍵システムとして、特開２０００−２２０３３１号公報（特許文献１）及び特開２００３−３１４１０９号公報（特許文献２）では、光学多層膜を利用した光学式キー装置が提案されている。しかしながら、このような特開２０００−２２０３３１号公報や特開２００３−３１４１０９号公報に記載されている鍵システムにおいては、鍵の同一性を認定する方法として鍵に使用されている光学多層膜の分光特性を分光器で計測し、これを予め鍵システム中に記憶されている分光特性情報と照合する方法をとることから、それが正当な鍵であると判定するために鍵の形状に相当する分光特性をデジタルデータの形で錠の識別装置の中に複製して格納しておく必要があった。そのため、このような鍵システムにおいては、鍵を複製しないとの概念に反してデジタルデータの形で鍵を複製してしまうという問題があり、更には、製造者自身が鍵のデジタルデータ（複製物）に関して秘密を保持する必要があるという問題、並びに第三者にデータを読み取られることにより鍵の複製及び不正開錠がなされてしまう危険性があるという問題があった。また、鍵に使用されている光学多層膜の分光特性が温度等の条件によって変化した場合、正当な鍵と判定されなくなってしまうという誤判定の問題もあった。
【特許文献１】特開２０００−２２０３３１号公報
【特許文献２】特開２００３−３１４１０９号公報
【発明の開示】
【発明が解決しようとする課題】
【０００７】
本発明は、上記従来技術の有する課題に鑑みてなされたものであり、光学的な多層薄膜を用いた鍵システムであって、鍵として用いる多層薄膜の分光特性を鍵認識装置側にデジタルデータ化して保存することを必要とせず、それによって第三者並びに鍵システムの製造者であっても鍵の複製及び不正開錠がなされることを完全に防止でき、しかも温度変化等による誤判定の発生を十分に防止できるという、従来にない極めて高水準のセキュリティ性を備えた光学的鍵システムを提供することを目的とする。
【課題を解決するための手段】
【０００８】
本発明者は、上記目的を達成すべく鋭意研究を重ねた結果、光学的鍵システムにおいて鍵と鍵認識装置との双方に同一の多層薄膜を備えることにより、前記目的が達成されることを見出し、本発明を完成するに至った。
【０００９】
すなわち、本発明の光学的鍵システムは、
特有の分光特性を有する多層薄膜からなる識別子を備える鍵、及び
前記識別子と同一の分光特性を有する多層薄膜からなる参照部材と、前記識別子及び前記参照部材に照射される光を発する光源と、前記識別子を透過又は反射した識別光及び前記参照部材を透過又は反射した参照光を検知し、前記識別子の分光特性と前記参照部材の分光特性との同一性を判定して判定信号を発する判定手段とを備える鍵認識装置、
を備えることを特徴とするものである。
【００１０】
本発明の光学的鍵システムにおいては、鍵と鍵認識装置との双方に同一の多層薄膜を備えており、それによって鍵に使われている多層薄膜自体を鍵の判定のための割り符として利用している。このように同一の多層薄膜そのものを判定のために利用していることから、本発明の光学的鍵システムにおいては、多層薄膜の分光特性を鍵認識装置側にデジタルデータ化して保存することを必要としないため、不正にデータを読み取られて鍵が複製及び不正開錠されることを完全に防止することが可能となる。また、このような本発明の光学的鍵システムにおいては、同一の分光特性を有する多層薄膜の事後的な複製が極めて困難であることから、例えば複数の多層薄膜の中から使用者自身が選んだ多層薄膜を錠及び鍵認識装置に組み込んで鍵システムを構成する方法をとることにより、その鍵システムの製造者であっても鍵の複製をすることが困難となり、極めて高水準のセキュリティ性を備える鍵システムとなる。さらに、温度変化等により多層薄膜の分光特性が変わっても、鍵と鍵認識装置の双方が同一の条件下で使用されるため、鍵と鍵認識装置に備えられる双方の多層薄膜の分光特性が同様に変化することとなり、誤判定の問題も生じない。
【００１１】
前記本発明の光学的鍵システムとしては、前記判定信号に基づいて施錠又は開錠する施錠装置、及び／又は、前記判定信号に基づいて判定結果を表示する表示装置を更に備えていることが好ましい。
【００１２】
このような施錠装置を備えることによって、判定信号に応じて電気的に施錠及び開錠をすることが可能となる。また、このような表示装置を備えることによって、鍵の利用者又は第三者に対して、正当な鍵であるか否かの判定結果を表示して知らせることが可能となる。
【００１３】
さらに、前記本発明の光学的鍵システムにおいては、前記鍵認識装置が、前記光源から発せられた光を前記識別子に照射される識別光と前記参照部材に照射される参照光とに分割する光分割手段と、前記識別子を透過又は反射した識別光と前記参照部材を透過又は反射した参照光とを合成して合成光を得る光合成手段とを更に備えていることが好ましく、
その場合、前記識別子の分光特性と前記参照部材の分光特性とが同一である場合に、前記識別子を透過又は反射した識別光の光学特性と前記参照部材を透過又は反射した参照光の光学特性とが相補的な関係になることを利用して、前記判定手段において前記合成光のスペクトラムの平坦性を判定することによって前記識別子の分光特性と前記参照部材の分光特性との同一性を判定することが好ましい。
【００１４】
さらに、前記本発明の光学的鍵システムが前記光分割手段と光合成手段とを更に備える場合、前記識別子の分光特性と前記参照部材の分光特性とが同一である場合に、前記識別子を透過した識別光の光強度特性と前記参照部材を反射した参照光の光強度特性とが相補的な関係になること、或いは前記識別子を反射した識別光の光強度特性と前記参照部材を透過した参照光の光強度特性とが相補的な関係になることを利用することが好ましい。
【００１５】
このような多層薄膜を透過した光の光強度特性と多層薄膜を反射した光の光強度特性との相補的な関係を利用することによって、多層薄膜を透過した光と反射した光の合成光のスペクトラムの平坦性を評価するという簡易かつ確実性の高い評価方法で鍵の判定を行うことが可能となる。
【００１６】
また、前記本発明の光学的鍵システムとしては、前記識別子及び前記参照部材がそれぞれ、前記多層薄膜、光学異方性物質膜及び反射膜を積層していることが好ましく、
その場合、前記識別子の分光特性と前記参照部材の分光特性とが同一である場合に、前記識別子を反射した識別光の偏光特性と前記参照部材を反射した参照光の偏光特性とが相補的な関係になることを利用することが好ましい。
【００１７】
このような識別光の偏光特性と参照光の偏光特性の相補的な関係を利用することによって、識別光と参照光の合成光のスペクトラムの平坦性を評価するという簡易かつ確実性の高い評価方法で鍵の判定を行うことが可能となる。
【００１８】
さらに、本発明にかかる前記光分割手段及び前記光合成手段としては、それぞれ偏光分離ミラーからなるものであることが好ましい。このような偏光分離ミラーを用いることによって、入射光を正確にほぼ半分に分割して識別光と参照光とに分けることを可能とし、他方、識別光又は参照光のうちの一方を透過させ、一方を反射させて偏光面の異なる識別光と参照光を合成することが可能となる。
【発明の効果】
【００１９】
本発明によれば、光学的な多層薄膜を用いた鍵システムであって、鍵として用いる多層薄膜の分光特性を鍵認識装置側にデジタルデータ化して保存することを必要とせず、それによって第三者並びに鍵システムの製造者であっても鍵の複製及び不正開錠がなされることを完全に防止でき、しかも温度変化等による誤判定の発生を十分に防止できるという、従来にない極めて高水準のセキュリティ性を備えた光学的鍵システムを提供することが可能となる。
【発明を実施するための最良の形態】
【００２０】
以下、図面を参照しながら本発明の好適な実施形態について詳細に説明する。なお、以下の説明及び図面中、同一又は相当する要素には同一の符号を付し、重複する説明は省略する。
【００２１】
［第一の実施形態］
図１は、本発明の光学的鍵システムの好適な第一の実施形態の構成を示す模式図である。
【００２２】
本実施形態の鍵システムは、基本的には鍵１、鍵認識装置２及び施錠装置３からなり、本実施形態では更に表示装置４を備えている。
【００２３】
鍵１は、特有の分光特性を有する多層薄膜からなる識別子５を備えており、本実施形態ではガラス基板６上に蒸着により形成せしめた独自の分光特性を有する多層薄膜を識別子５として用いている。また、本実施形態では、識別子５と同じ方法で識別子５の多層薄膜と同一の分光特性を有する多層薄膜を準備し、その多層薄膜を参照部材７として用いる。
【００２４】
鍵認識装置２は、参照部材７、光源８及び分光計測判定装置９を備えており、更に光学系を構成するコリメータレンズ１０、偏光分離ミラー（ＰＢＳ）１１，１２、（１／４）λ波長板１３、（１／２）λ波長板１４、全反射プリズム１５及び偏光板１６を備えている。
【００２５】
鍵認識装置２においては、光源８から発せられた光Ｌ１の光路上にコリメータレンズ１０及び偏光分離ミラー１１が配置され、偏光分離ミラー１１によって反射されたｓ偏光成分の光（識別光）Ｌ２の光路上に（１／４）λ波長板１３が配置されている。そして、（１／４）λ波長板１３を透過した識別光Ｌ２の光路上に、判定対象となる鍵１の識別子５が配置され、識別光Ｌ２が識別子５によって反射されるように構成されている。
【００２６】
一方、偏光分離ミラー１１を透過したｐ偏光成分の光（参照光）Ｌ３の光路上には参照部材７が配置され、更に参照部材７を透過した参照光Ｌ３′の光路上に（１／２）λ波長板１４及び全反射プリズム１５が配置され、参照部材７を透過した参照光Ｌ３′と識別子５により反射された識別光Ｌ２′とが交差するように構成されている。
【００２７】
そして、参照光Ｌ３′と識別光Ｌ２′とが交差する位置に偏光分離ミラー１２が配置され、偏光分離ミラー１２によって参照光Ｌ３′と識別光Ｌ２′とが合成されて得られた合成光Ｌ４が偏光板１６を透過して分光計測判定装置９に入射されるように構成されている。
【００２８】
分光計測判定装置９は、スリット１７、グレーティング１８、フィールドレンズ（結像レンズ）１９、ラインセンサー２０及び情報処理装置２１を備えており、合成光Ｌ４がスリット１７、グレーティング１８及びフィールドレンズ１９を透過してラインセンサー２０に入射するように配置されている。そして、ラインセンサー２０と情報処理装置２１とが電気的に接続されており、さらに情報処理装置２１と施錠装置３及び表示装置４とが電気的に接続されている。
【００２９】
図２に識別子５及び参照部材７として用いることのできる多層薄膜の模式断面図を示す。このような図２に示された多層薄膜は、基板として厚さ０．５ｍｍの光学研磨した合成石英平行平板を使い、この基板上に光学的な多層薄膜を積層させたものであり、多層薄膜の構成は大きく３構成になっている。具体的な多層薄膜の構成は、先ず、基板上に高屈折率層として厚さ１１６．２８ｎｍの酸化アルミニウム膜と低屈折率層として厚さ１１９．４２ｎｍの酸化珪素膜とを、交互に合計２０層積層させた層がある。その層の上には、高屈折率層として厚さ１０５．７０ｎｍの酸化アルミニウム膜と低屈折率層として厚さ１０８．５６ｎｍの酸化珪素膜とを、交互に合計２０層積層させた層がある。更にその層の上に、高屈折率層として厚さ９５．１３ｎｍの酸化アルミニウム膜と低屈折率層として厚さ９７．７０ｎｍの酸化珪素膜とを、交互に合計２０層積層させた層がある。
【００３０】
このような構成を有する多層薄膜の分光透過特性を図３に示す。複雑なピーク位置を持つ光学設計は、多層薄膜の屈折率、膜厚、層数等のパラメータが多いために複製の難易度が非常に高い。また、各層の膜厚を個々に変化させたり屈折率が異なる第３の屈折率層を加えるなどすれば、更に複製の難易度を高くすることができる。
【００３１】
例えば、製造誤差によって、各層の厚さがそれぞれ１％少なかった場合の多層薄膜の分光透過特性を図３に点線で示す。図３に示すように、多層薄膜の膜厚が１％少ないこと（僅かｌｎｍ膜厚の差）によっても、多層薄膜の分光透過特性は大きく異なってくる。
【００３２】
また、このような多層薄膜の製造の際においては、成膜装置であるスパッタリング装置や蒸着装置内の基板設置位置等の違いによって得られる多層薄膜の膜厚誤差が１０％以上となることも珍しくない。そのため、多層薄膜の膜厚を１％未満で再現することは、非常に困難なものである。このように、多層薄膜の分光特性を再現することは、例え高度な膜厚制御技術を使った場合であっても、設計段階に加え、製造段階で更に困難なものとなることから、事実上ほとんど不可能であるといえる。
【００３３】
また、このような多層薄膜は、光を吸収せずに入射してきた光を多層薄膜の分光特性に従って反射光と透過光とに切り分けるものである。従って、多層薄膜を透過した光と多層薄膜に反射された光とを合算すると入射光と等しくなる。このように、多層薄膜の分光透過特性と分光反射特性とは相補的な関係にある。例えば、波長に対してほぼ一定の光学特性（例えば光強度特性）を有する光を発する光源を用いた場合、識別子５によって反射された識別光Ｌ２′を計測すると多層薄膜の分光反射特性に由来する図４に示すような光学特性（例えば光強度特性）が計測され、他方、参照部材７を透過した参照光Ｌ３′を計測すると多層薄膜の分光透過特性に由来する図５に示すような光学特性（例えば光強度特性）が計測される。そして、識別光Ｌ２′と参照光Ｌ３′との合成光のスペクトラムは、図６に示されているような波長に対して平坦性のあるほぼ一定な光学特性（例えば光強度特性）、すなわち光源８が発した光と同一の光学特性（例えば光強度特性）が計測されることとなる。本実施形態は、このような多層薄膜の分光特性の相補的な関係を利用するものである。このように同一の分光特性を有する多層薄膜を識別子５及び参照部材７に用いて鍵の判定のための割り符として利用することで、本発明の鍵システムにおいては、多層薄膜の分光特性を鍵認識装置側にデジタルデータ化して保存することを必要とせず、不正にデータを読み取られて鍵が複製及び不正開錠がなされることを完全に防止することが可能となる。
【００３４】
ここで、鍵１は、識別光Ｌ２の光路に対して多層薄膜面が垂直となるように配置されていればよく、どのような向きに置かれてもかまわない。本実施形態においては、上述のように多層薄膜の分光特性を鍵の判定基準としているため、多層薄膜面が垂直であれば鍵１の向きに依存しないためである。また、参照部材７も同様に、参照光Ｌ３の光路に対して多層薄膜面が垂直となるように設置されている。
【００３５】
光源８としては、特に制限されないが、本実施形態においては、波長領域５５０ｎｍ〜６００ｎｍにおいてほぼ一定の光強度特性を有する白色ＬＥＤ（日亜化学社製ＮＳＰＷ３００ＢＳ）を使用している。かかる光源８はランダム偏光で光束を輻射する。
【００３６】
また、光学系を構成するコリメータレンズ１０、偏光分離ミラー（ＰＢＳ）１１，１２、（１／４）λ波長板１３、（１／２）λ波長板１４、全反射プリズム１５及び偏光板１６としては、特に制限されず、市販されているもの等を適宜使用することができる。
【００３７】
なお、（１／４）λ波長板１３は、入射してくる光Ｌ２の光路に対する垂直方向と波長板との間の角度が４５°となるように傾斜させて設置されている。また、（１／２）λ波長板１４も同様に、入射してくる光Ｌ３の光路に対する垂直方向と波長板との間の角度が４５°となるように傾斜させて設置されている。
【００３８】
偏光板１６は、（１／４）π方向の偏光板であり、合成光Ｌ４の光路に対する垂直方向と偏光板との間の角度が４５°となるように傾斜させて設置されている。このような偏光板１６は、互いに直交する識別光の偏光面と参照光の偏光面とを一致させるために設置されるものである。すなわち、偏光板１６は、偏光分離ミラー（ＰＢＳ）１１を透過してきた識別光と反射してきた参照光とを、それぞれ（１／４）π方向偏光させて偏光面を一致させる役割を果たすものである。本実施形態においては、グレーティングを使用するため、２つの合成される光束の偏光面を一致させておくことが望ましいことから偏光板１６を設置している。
【００３９】
分光計測判定装置９においては、スリット１７は、グレーティング１８の向きと同方向に設置されている。かかるスリット１７により光束が絞り込まれ、分光を検知するラインセンサー２０への開口が決められる。また、グレーティング１８によってスリット１７を透過した光が回折されて波長に従って広がり、その後、フィールドレンズ１９によって結像されてラインセンサー２０でスペクトラムが計測される。ここで、フィールドレンズ１９は、スリット１７と垂直に置かれたシリンドリカルなレンズである。このようなフィールドレンズ１９によって、グレーティング１８で分光した光がラインセンサー２０に投影される。なお、図１では便宜上、分光計測判定装置９に備えられているスリット１７、グレーティング１８、フィールドレンズ１９及びラインセンサー２０を直線的な構成で記載しているが、分光は反射型のグレーティングを用いて行うケースが通常である。このような反射型のグレーティングを用いた場合には、分光計測判定装置９の光学的な構成は、グレーティング１８で光束が折られるかたちの構成とすることも可能である。
【００４０】
ラインセンサー２０は、フィールドレンズ１９によって結像されたスリット像が投影される位置に設置されている。このようなラインセンサー２０としては特に制限されず、所定の幾何学形状の光強度検出素子が配設されているようなＣＣＤを用いることができる。本実施形態においては、このようなラインセンサー２０としてＳＯＮＹ社製ＩＬＸ５５４Ｂを使用している。そして、ラインセンサー２０によって合成光の波長毎の強度が計測されて光電変換される。このようにして変換された強度信号が情報処理装置２１に出力される。
【００４１】
情報処理装置２１は、ラインセンサー２０から入力された強度信号によって、識別子及び参照部材が備えるそれぞれの多層薄膜が有する分光特性の同一性を計算、判定するものである。すなわち、情報処理装置２１は、入力された強度信号によって鍵１が正当なものであるか否かを計算、判定し、その判定信号を施錠装置３及び表示装置４へと送る。このような判定に使用する手段としては特に制限されず、例えば、予めインストールされている公知の回折像解析プログラムを用いることが挙げられる。なお、本実施形態の情報処理装置２１においては、識別光と参照光の合成光のスペクトラムの平坦性が認識されたときに鍵１が正当なものであると判定する。
【００４２】
また、このような判定に際し、実際には多少ノイズが含まれる場合があるため、情報処理装置２１においては、スペクトラムのＳＮ比を考慮して多層薄膜が有する分光特性の同一性を判定することが好ましい。例えば、スペクトラムのＳＮ比が１０％以内に入っている場合に鍵１が正当なものであると判定し、他方、１０％を越えた場合には鍵１が不正なものであると判定するように調節することが好ましい。なお、本実施形態のように、識別光と参照光の合成光のスペクトラムの平坦性が認識されたときに鍵１が正当なものであると判定する場合においては、センサーがサチュレーションを起こす程度の高強度の光が外部から人為的に入射されると、検出された光があたかも一定の光学特性（例えば光強度特性）を有しているがごとく誤認され、鍵システムが破られてしまう可能性がある。そのため、本実施形態においては、情報処理装置２１において、識別光と参照光の合成光のスペクトラムの平坦性を計算する前に、検出された光の強度が適性なものであるかを予め判定してこれを防止している。
【００４３】
施錠装置３は、前記判定信号を受けて施錠又は開錠する装置である。なお、本発明に用いられる施錠装置としては特に制限されず、前記判定信号に応じて施錠又は開錠できるものが用いられ、例えば市販の電気的制御による施錠装置を適宜用いることが可能である。
【００４４】
また、表示装置４は、前記判定信号を受けて、鍵の判定結果を表示する装置である。本実施形態において、このような表示装置４としては汎用のＬＣＤキャラクタ表示ディスプレイを使用している。なお、本発明に用いられる表示装置としては特に制限されず、市販のモニターや所定のランプを適宜用いることができる。
【００４５】
次に、このような鍵１及び鍵認識装置２を備える本発明の第一の実施形態について、図１に示す模式図及び図７に示す動作のフローチャートを参照しつつ、その好適な使用態様を説明する。
【００４６】
本実施形態においては、鍵認識装置２が鍵１を検知すると（ステップＳ３０）、光源８が点灯する（ステップＳ３１）。そして、光源８が輻射した光Ｌ１はコリメータレンズ１０で平行光とされる。このような平行光は、偏光分離ミラー（ＰＢＳ）１１に向かい、偏光分離ミラー（ＰＢＳ）１１によってｓ偏光成分（識別光）Ｌ２とｐ偏光成分（参照光）Ｌ３とに分けられる。この時、偏光分離ミラー（ＰＢＳ）１１によって折り曲げられた識別光Ｌ２が鍵１へと向かい、偏光分離ミラー（ＰＢＳ）１１を透過した参照光Ｌ３が参照部材７へと向かう。本実施形態においては、偏光分離ミラー（ＰＢＳ）１１へ入射する光Ｌ１がランダム偏光であることから、入射した光のほぼ正確に半分が偏光分離ミラー（ＰＢＳ）１１によって反射され、残りの半分の光が偏光分離ミラー（ＰＢＳ）１１を透過する。そして、識別光Ｌ２の偏光面と参照光Ｌ３の偏光面は、互いに９０°異なる。
【００４７】
次に、識別光Ｌ２は（１／４）λ波長板１３を透過した後、鍵認識装置２から出射して鍵１の識別子５に照射される。そして、識別子５によって反射されて鍵認識装置２に戻ってくる識別光Ｌ２′は、鍵１の識別子５の多層薄膜の分光反射特性に由来した光学特性（図４に示すような光強度特性）を有する識別光Ｌ２′となる。なお、識別子５によって反射されなかった光は鍵１を通過し、そのままとなるか或いは図示されていない鍵１の後に置かれた黒色の材質に吸収されて、鍵認識装置２には戻ってこない。このようにして鍵１に照射された光のうち、鍵１に備えられた識別子５によって反射された光のみが再度（１／４）λ波長板１３に向かう。従って、再び鍵認識装置２に戻ってくる識別光Ｌ２′は、偏光分離ミラー（ＰＢＳ）１１に入射した光束の半分に多層膜の分光反射特性が乗じられたものとなる。
【００４８】
そして、鍵１の識別子５によって反射されて鍵認識装置に帰ってきた識別光Ｌ２′は、再度（１／４）λ波長板１３を通過する。このように識別光は、再度偏光分離ミラー（ＰＢＳ）１１に入射するまでに（１／４）λ波長板１３を二度通過することとなるため、偏光面が（１／２）πだけ回転する。従って、鍵１の識別子５によって反射された識別光Ｌ２′は、そのまま偏光分離ミラー（ＰＢＳ）１１を透過して偏光分離ミラー（ＰＢＳ）１２へと向かうこととなる。
【００４９】
一方、偏光分離ミラー（ＰＢＳ）１１で分けられた参照光Ｌ３は、鍵に備えられている識別子５と同じ多層薄膜からなる参照部材７を透過する。この時、参照部材７を透過した参照光Ｌ３′は、多層薄膜（参照部材７）の分光透過特性に由来した光学特性（例えば図５に示すような光強度特性）を有する。従って、参照部材７を透過した参照光Ｌ３′は、偏光分離ミラー（ＰＢＳ）１１に入射した光の半分に多層薄膜（参照部材７）の分光透過特性が乗じられたものとなる。
【００５０】
次に、参照部材７を透過した参照光Ｌ３′は、（１／２）λ波長板１４を透過し、偏光面が（１／２）πだけ回転する。そして、（１／２）λ波長板１４を透過した参照光Ｌ３′は、全反射プリズム１５に入射し、進行方向を反対向きにして偏光分離ミラー（ＰＢＳ）１２へと向かう。このように、全反射プリズム１５に入射した参照光Ｌ３′は折り返されて、進行方向を逆向きにして偏光分離ミラー（ＰＢＳ）１２へと向かうこととなる。
【００５１】
そして、偏光分離ミラー（ＰＢＳ）１２に向かって入射してくる光のうち、識別光Ｌ２′は偏光分離ミラー（ＰＢＳ）１２をそのまま通過し、識別光と９０°偏光面の異なる参照光Ｌ３′は偏光分離ミラー（ＰＢＳ）１２によって反射される。従って、偏光分離ミラー（ＰＢＳ）１２によって、識別光Ｌ２′と参照光Ｌ３′とが合成されて合成光Ｌ４となる。
【００５２】
次に、偏光分離ミラー（ＰＢＳ）１２によって合成されて得られた合成光Ｌ４は、偏光板１６へと向かう。このような偏光板１６は、偏光分離ミラー（ＰＢＳ）１２を透過してきた識別光Ｌ２′の偏光面と偏光分離ミラー（ＰＢＳ）１２に反射された参照光Ｌ３′の偏光面を、それぞれ（１／４）π方向偏光させて偏光面を一致させる。
【００５３】
そして、偏光板１６を透過して偏光面が一致させられた合成光Ｌ４は、スリット１７を透過してグレーティング１８に照射された後、フィールドレンズ１９を透過する。このように、スリット１７を通過した光の像が、グレーティング１８で分光され、フィールドレンズ１９によってラインセンサー２０に投影されるのである。すなわち、スリット像はグレーティング１８で波長に従って広がり、ラインセンサー２０でスペクトラムとして計測されることとなる。
【００５４】
ラインセンサー２０においては、入射した光の波長毎の強度が測定され、光電変換されて、その強度信号（ＣＣＤ信号）が情報処理装置２１に出力される（ステップＳ３２）。そして、情報処理装置２１において、先ず、光源が発した光の強度から判断してラインセンサー２０に入射した光の強度が適正であるかを判定する（ステップＳ３３）。
【００５５】
そして、光の強度が適正である場合には、情報処理装置２１によって、前記強度信号のＤＣ成分が除去され（ステップＳ３４）、続いて信号処理がなされ（ステップＳ３５）、得られた信号に基づいて識別子５の多層薄膜と参照部材７の多層薄膜の分光特性の同一性が判定される（ステップＳ３６）。この際、合成光のスペクトラムの平坦性が認識された場合には、正当な鍵であると判定され、その判定信号が施錠装置３及び表示装置４に出力されて開錠がなされ（ステップＳ３７）、一連の処理が終了する。一方、情報処理装置２１において、光の強度が不適正であると判定された場合、及び合成光のスペクトラムの平坦性が認識されなかった場合には、鍵１は不正なものと判定され（ステップＳ３８）、この場合も一連の処理が終了する。
【００５６】
［第二の実施形態］
次に、本発明の光学的鍵システムの好適な第二の実施形態について説明する。図８は、本発明の鍵システムの好適な第二の実施形態の構成を示す模式図である。
【００５７】
本実施形態の鍵システムは、前述の第一の実施形態と同容に基本的には鍵１、鍵認識装置２及び施錠装置３からなり、更に表示装置４を備えているが、以下の点において第一の実施形態と相違する。
【００５８】
すなわち、先ず、鍵１は、特有の分光特性を有する多層薄膜からなる識別子５と（１／４）λ波長板２２と反射層２３とが積層した構成となっている。また、積層した構造を有する鍵１は矩形で、積層されている（１／４）λ波長板２２の軸は水平面に対し、光軸を中心に４５°傾斜させた構成をとる。更に、前記反射層２３に用いられる部材としては、反射層による光の吸収がないという理由から、ＧＢＯ膜が使用されている。また、本実施形態では、参照部材７と（１／４）λ波長板２２と反射層２３とを積層させて鍵１と同様の構成を有する参照部材積層体２４を作成している。
【００５９】
鍵認識装置２は、参照部材積層体２４、光源８及び分光計測判定装置９を備えており、更に光学系を構成するコリメータレンズ１０、偏光分離ミラー（ＰＢＳ）１１、（１／４）λ波長板１３及び偏光板１６を備えている。
【００６０】
鍵認識装置２においては、光源８から発せられた光Ｌ５の光路上にコリメータレンズ１０及び偏光分離ミラー（ＰＢＳ）１１が配置され、偏光分離ミラー（ＰＢＳ）１１によって反射されたｓ偏光成分の光（識別光）Ｌ６の光路上に判定対象となる鍵１が配置され、識別光Ｌ６が鍵１によって反射されるように構成されている。
【００６１】
一方、偏光分離ミラー（ＰＢＳ）１１を透過したｐ偏光成分の光（参照光）Ｌ７の光路上には（１／４）λ波長板１３が配置され、更に（１／４）λ波長板１３を透過した参照光Ｌ７の光路上に参照部材積層体２４が配置され、参照光Ｌ７が参照部材積層体２４によって反射されるように構成されている。
【００６２】
そして、鍵１によって反射された識別光Ｌ６′及び参照部材７によって反射された参照光Ｌ７′が偏光分離ミラー（ＰＢＳ）１１によって合成され、得られた合成光Ｌ８が偏光板１６を透過して分光計測判定装置９に入射されるように構成されている。
【００６３】
本実施形態は、多層薄膜の以下のような特性を利用するものである。すなわち、矩形の鍵１の辺に対して水平方向もしくは垂直方向に偏光した光がこの鍵１に入射すると、識別子５（多層薄膜）で入射光束の一部が反射し、この時、反射した光は多層薄膜の分光反射特性に由来する光学特性（例えば光強度特性）を有する。そして、識別子５（多層薄膜）によって反射されず識別子５（多層薄膜）を透過した光は、（１／４）λ波長板２２を透過し、反射層２３で折り返された後、再度（１／４）λ波長板２２を透過し、識別子５（多層薄膜）に逆方向から入射することとなる。このように識別子５（多層薄膜）に逆方向から入射する光は、（１／４）λ波長板２２を往復で２回通過するため、偏光面が（１／２）πだけ回転する。こうして識別子５（多層薄膜）に戻ってきた光のうち、識別子５（多層薄膜）によって反射させられた光は折り返されて再度反射層２３へと向かい、識別子５（多層薄膜）を反射せずに通過した光のみが鍵１から出射する。この過程は何度も繰り返され、識別子５（多層薄膜）を透過した光のみがこの鍵１から脱出できることになる。この時、鍵１から光が出射するまでの間に、識別子５（多層薄膜）と反射層２３とを折り返した回数が偶数か奇数かで、出射する光の偏光面が、（１／２）π異なることとなる。
【００６４】
ここで、識別子５（多層薄膜）の分光透過率をＴ（λ）とすると、垂直方向の直線偏光の光束をこの鍵に加えて出射する光の比率は次の表１に示す通りである。なお、次数とは、入射軸奥の反射層で反射される回数を指すものとする。また、入射光は偏光面に対して４５°方向におかれた（１／４）λ偏光板を一度通過すると円偏光となり、もう一度通過すると偏光面が９０°度だけ回転した直線偏光光束となる。
【００６５】
【表１】
2006097426.tif 000003
【００６６】
また、鍵１を出射する光の比率に関して、無限級数の和をとると反射光の偏光面（１／２）π方向の成分は、下記式１のように表わすことができる。すなわち、反射光の偏光面（１／２）π方向の成分は、
式１：Ｔ（λ）／（２−Ｔ（λ））＝｛２／（２−Ｔ（λ））｝−１
となる。一方、偏光面が０方向の成分は下記式２のように表すことができる。
式２：２−｛２／（２−Ｔ（λ））｝
このように、鍵１から帰ってくる光の強度は、反射層２３での光の吸収が小さいとすると、偏光面（１／２）π方向の成分の光の強度と偏光面が０方向の成分の光の強度とが相補的な関係にあることから入射光の強度に等しくなる。つまり、鍵１は一見、鏡面体に見えることとなる。すなわち、本実施形態で用いられる鍵１は、識別子５（多層薄膜）に由来する分光特性を持ち、鍵１によって反射された光の強度を変化させるものではなく、鍵１によって反射された光の偏光特性を変化させるものということができる。本実施形態は、このような偶数回反射光の偏光特性と奇数回反射光の偏光特性の相補的な関係を利用したものである。
【００６７】
なお、本実施形態における鍵１においては、反射層２３を設けることで、鍵自体が干渉色とはならず、多層薄膜で構成されていることが見知される可能性が少なく、より安全性が高いといえる。
【００６８】
また、本実施形態においては、上述のように、鍵１及び参照部材積層体２４によって反射された光の偏光特性の相補的な関係を利用するため、鍵１の垂直の辺が光源からの光Ｌ５の光路に対して平行となる方向に置く必要がある。また、参照部材積層体２４も鍵１と同様に、参照部材積層体２４の垂直の辺が識別光Ｌ６の光路に対して平行となる方向に置く必要がある。
【００６９】
光源８は、前述の第一の実施形態に用いられる光源と同様の白色ＬＥＤである。また、光学系を構成するコリメータレンズ１０、偏光分離ミラー（ＰＢＳ）１１、（１／４）λ波長板１３及び偏光板１６についても、前述の第一の実施形態に用いられているものと同様のものが用いられる。ここで（１／４）λ波長板１３は参照光Ｌ７の光路に対する垂直方向と（１／４）λ波長板１３との間の角度が４５°となるように傾斜させて設置されている。このような（１／４）λ波長板１３を通過することで、参照光Ｌ７は円偏光とされる。また、偏光板１６も、合成光Ｌ８の光路に対する垂直方向と偏光板１６との間の角度が４５°となるように傾斜させて設置されている。
【００７０】
分光計測判定装置９は、前述の第一の実施形態の分光計測判定装置と同様のものが設置されており、更に、施錠装置３及び表示装置４についても、前述の第一の実施形態と同様のものが設置されている。
【００７１】
次に、本発明の第二の実施形態について、図８に示す模式図及び図７に示す動作のフローチャートを参照しつつ、その好適な使用態様を説明する。
【００７２】
先ず、鍵認識装置２が鍵１を検知すると（ステップＳ３０）、光源８が点灯する（ステップＳ３１）。このような光源８が輻射した光Ｌ５はコリメータレンズ１０で平行光とされ、偏光分離ミラー（ＰＢＳ）１１に入射する。そして、偏光分離ミラー（ＰＢＳ）１１によって、前記平行光がｓ偏光成分の光（識別光）Ｌ６とｐ偏光成分の光（参照光）Ｌ７に分けられる。このようにして、偏光分離ミラー（ＰＢＳ）１１によって反射された識別光Ｌ６は、鍵１に照射され、偏光分離ミラー（ＰＢＳ）１１を透過した参照光Ｌ７は、参照部材積層体２４へ照射される。
【００７３】
そして、鍵１に入射した識別光Ｌ６は、鍵１によって反射されて、先に示したような偏光特性を有する識別光Ｌ６′に変化させられ、再度偏光分離ミラー（ＰＢＳ）１１に入射する。このようにして鍵１によって反射されて戻ってきた識別光Ｌ６′のうち、偏光分離ミラー（ＰＢＳ）１１を透過することができるのは反射層で奇数回反射している光のみである。これは、奇数回反射している識別光の偏光面が、鍵１に入射した識別光の偏光面に対して９０°回転しているからである。
【００７４】
一方、偏光分離ミラー（ＰＢＳ）１１を透過した参照光Ｌ７の光路上には、（１／４）λ波長板１３が置かれている。参照光Ｌ７が（１／４）λ波長板１３を通過することで参照光Ｌ７は円偏光となる。従って、参照部材積層体２４に入射する参照光Ｌ７は、前述の第一の実施形態で想定したような直線偏光ではない。また、このような参照部材積層体２４から出射した光は、反射層での奇数回又は偶数回の反射に応じて回転方向が左右異なる円偏光となるため区別することが可能である。
【００７５】
そして、参照部材７を反射して戻ってきた参照光Ｌ７′は、（１／４）λ波長板１３を再度通過して直線偏光となる。ここで、偏光分離ミラー（ＰＢＳ）１１に戻ってきた時点では、偶数回反射の光と奇数回反射の光は、偏光面が９０°異なる直線偏光となっている。なお、このような（１／４）λ波長板１３は参照光Ｌ７の光路上ではなく、参照光Ｌ７′と識別光Ｌ６′を合成させた後の合成光Ｌ８の光路上に設置するのでもかまわない。
【００７６】
このようにして偏光分離ミラー（ＰＢＳ）１１に戻ってきた参照光Ｌ７′のうち、偶数回反射の光のみが偏光分離ミラー（ＰＢＳ）１１によって反射されて直角に折られ、分光計測判定装置９に向かう。
【００７７】
このように、偏光分離ミラー（ＰＢＳ）１１によって、偏光分離ミラー（ＰＢＳ）１１を透過した識別光Ｌ６′と偏光分離ミラー（ＰＢＳ）１１によって反射された参照光Ｌ７′とが合成される。このように合成されて得られた合成光Ｌ８は、偏光板１６を透過して偏光面を一致させられ、分光計測判定装置９に入射する。そして、合成光Ｌ８は、スリット１７を透過してグレーティング１８に照射された後、フィールドレンズ１９を透過し、ラインセンサー２０に投影される。
【００７８】
ラインセンサー２０においては、入射した光の波長毎の強度が光電変換されて、その強度信号が情報処理装置２１に出力される（ステップＳ３２）。そして、情報処理装置２１においては、先ず、光源が発した光の強度から判断してラインセンサーに入射した光の強度が適正であるかを判定する（ステップＳ３３）。
【００７９】
そして、光の強度が適正である場合には、情報処理装置２１によって、前記強度信号のＤＣ成分が除去され（ステップＳ３４）、続いて信号処理がなされ（ステップＳ３５）、得られた信号に基づいて識別子５の多層薄膜と参照部材７の多層薄膜の分光特性の同一性が判定される（ステップＳ３６）。この際、合成光のスペクトラムの平坦性が認識された場合には、正当な鍵であると判定され、その判定信号が施錠装置３及び表示装置４に出力されて開錠がなされ（ステップＳ３７）、一連の処理が終了する。一方、情報処理装置２１において、光の強度が不適正であると判定された場合、及び合成光のスペクトラムの平坦性が認識されなかった場合には、鍵１は不正なものと判定され（ステップＳ３８）、この場合も一連の処理が終了する。
【００８０】
［その他の実施形態について］
なお、本発明の実施形態は前記第一及び第二の実施形態に限定されるものではない。
【００８１】
すなわち、例えば、前記第一の実施形態では多層薄膜を透過した光の光強度特性と多層薄膜を反射した光の光強度特性の相補的な関係を利用したものであるが、合成光のスペクトラムと光源が発する光のスペクトラムとの同一性を比較して鍵の判定をする実施形態とすることも可能である。具体的には、鍵認識装置内に分光計測判定装置を２つ設置して、一方の分光計測判定装置で、第一の実施態様と同様に特有の分光特性を有する多層薄膜からなる識別子によって反射させられた反射光と、識別子と同一の多層薄膜からなる参照部材を透過した透過光とを合成して得られる合成光のスペクトラムを計測し、もう一方の分光計測判定装置で光源が発する光が有するスペクトラムを直接計測して、それぞれが示すスペクトラムが同一か否かを比較して鍵の適正を判定する実施形態が挙げられる。
【００８２】
また、前記第一の実施形態は多層薄膜を透過した光の光強度特性と多層薄膜を反射した光の光強度特性の相補的な関係を利用したものであるが、多層薄膜を透過した光の光強度特性又は多層薄膜を反射した光の光強度特性のどちらか一方のみを利用して、多層薄膜が有する分光特性の同一性を比較して鍵の判定をする実施形態とすることも可能である。具体的には、鍵認識装置内に分光計測判定装置を２つ設置して、一方の分光計測判定装置で識別子を透過した光の光強度特性を測定し、もう一方の分光計測判定装置で参照部材を透過した透過した光の光強度特性を測定し、それぞれの光の光強度特性を比較して多層薄膜が有する分光特性が同一のものであるか否かを判定して鍵の適正を判定する実施形態が挙げられる。
【００８３】
さらに、前記第一及び第二の実施形態においては光源として白色ＬＥＤを使用していたが、前記光源を変更して用いることも可能である。このような光源としては、使用する波長領域おいて連続かつ白色（色として白色という意味ではなく、一定の強度のスペクトラムと云う意味）で発光する光源を用いることが好ましく、例えば、前述の白色ＬＥＤの他、有機ＥＬ、タングステンランプ、フィラメント型光源等が挙げられる。なお、本発明に用いられる多層薄膜が非常に狭い幅で強度変化を繰り返すような設計であって使用波長領域を狭く取れるような場合には、前記光源の中でも、ＬＥＤを用いることが好ましい。なお、ランダム偏光の状態に自信がもてないような光源を用いた場合には、光源から発せられる光の光路上に、垂直方向に対して４５°に傾けた偏光板を設置して、同様の効果が得られるようにすることも可能である。
【００８４】
また、第一の実施形態においては参照光を折り返すために全反射プリズムを用いていたが、全反射プリズムと代えて同様の効果が得られるもの（例えば反射板、銀、アルミ蒸着板、ＧＢＯフィルム多層積層板（３Ｍ社）等）を使用することも可能である。
【００８５】
また、第二の実施形態においては、前述のような構成の鍵１が用いられていたが、（１／４）λ波長板を基材とし、（１／４）λ波長板の上に蒸着により形成せしめた独自の分光特性を有する多層薄膜を準備し、かかる多層薄膜（識別子）に反射膜を積層させる構成の鍵を用いてもよい。更に、第二の実施形態の鍵の反射層に用いられる部材もＧＢＯ膜に代えて、銀、アルミ蒸着板、誘電体ミラー等を使用することも可能である。なお、このような部材の中でも、光が吸収され難いという観点から、ＧＢＯ膜のような全反射膜を用いることが好ましい。
【００８６】
なお、本発明の鍵システムを破る方法としては、前述のようにセンサーがサチュレーションをおこす程度の高強度の光を外部から人為的に入射させる方法が挙げられる。しかしながら、前記第一及び第二の実施形態のように分光計測判定装置においてセンサー光量のレベルをモニターして光の強度を判定することや、あらかじめ特定の波長だけを遮光するフィルターを鍵認識装置内に設置することで、これを防止することが可能である。
【産業上の利用可能性】
【００８７】
以上説明したように、本発明によれば、光学的な多層薄膜を用いた鍵システムであって、鍵として用いる多層薄膜の分光特性を鍵認識装置側にデジタルデータ化して保存することを必要とせず、それによって第三者並びに鍵システムの製造者であっても鍵の複製及び不正開錠がなされることを完全に防止でき、しかも温度変化等による誤判定の発生を十分に防止できるという、従来にない極めて高水準のセキュリティ性を備えた光学的鍵システムを提供することが可能となる。
【図面の簡単な説明】
【００８８】
【図１】本発明の光学的鍵システムの第一の実施形態を示す模式図である。
【図２】多層薄膜の構成を示す模式断面図である。
【図３】図２に示す多層薄膜の分光透過特性を示すグラフである。
【図４】本発明の光学的鍵システムの第一の実施形態における識別光Ｌ２′の光強度特性を示すグラフである。
【図５】本発明の光学的鍵システムの第一の実施形態における参照光Ｌ３′の光強度特性を示すグラフである。
【図６】本発明の光学的鍵システムの第一の実施形態における合成光Ｌ４のスペクトラムを示すグラフである。
【図７】本発明の光学的鍵システムにおける動作の一例を示すフローチャートである。
【図８】本発明の光学的鍵システムの第二の実施形態の構成を示す模式図である。
【符号の説明】
【００８９】
１…鍵、２…鍵認識装置、３…施錠装置、４…表示装置、５…識別子、６…基材、７…参照部材、８…光源、９…分光計測判定装置、１０…コリメータレンズ、１１…偏光分離ミラー（ＰＢＳ）１２…偏光分離ミラー（ＰＢＳ）、１３…（１／４）λ波長板、１４…（１／２）λ波長板、１５…全反射プリズム、１６…偏光板、１７…スリット、１８…グレーティング、１９…フィールドレンズ、２０…ラインセンサー、２１…情報処理装置、２２…（１／４）λ波長板、２３…反射層、２４…参照部材積層体、Ｌ１…光源８から発せられた光、Ｌ２…識別光、Ｌ２′…識別子５により反射された識別光、Ｌ３…参照光、Ｌ３′…参照部材７を透過した参照光、Ｌ４…合成光、Ｌ５…光源８から発せられた光、Ｌ６…識別光、Ｌ６′…鍵１により反射された識別光、Ｌ７…参照光、Ｌ７′…参照部材により反射された参照光、Ｌ８…合成光。
【図１】
2006097426.tif 000004
【図２】
2006097426.tif 000005
【図３】
2006097426.tif 000006
【図４】
2006097426.tif 000007
【図５】
2006097426.tif 000008
【図６】
2006097426.tif 000009
【図７】
2006097426.tif 000010
【図８】
2006097426.tif 000011